(57)【要約】【課題】本発明は、任意の長さに切り取ることができ、かつ容易に入れ歯と上顎、あるいは下顎とに接着することができる入れ歯の固定接着シートを提供することを目的とするものである。【解決手段】本発明は、上顎用総入れ歯、あるいは下顎用総入れ歯を上顎、あるいは下顎に固定する固定接着シート１において、紙、または布から形成される帯状のシート本体２と、前記シート本体２の両側面に積層される接着剤４と、前記それぞれの接着剤４に覆着される剥離紙３を備える構成とされる。【選択図】図１
2006130339.tif 000002
【特許請求の範囲】
【請求項１】
上顎用総入れ歯、あるいは下顎用総入れ歯を上顎、あるいは下顎に固定するシートにおいて、
紙、または布から形成される帯状のシート本体と、
前記シート本体の両側面に積層される接着剤と、
前記それぞれの接着剤に覆着される剥離紙を備える
ことを特徴とする入れ歯の固定接着シート。
【請求項２】
前記接着剤に、抗菌性成分を配合する
ことを特徴とする請求項１記載の入れ歯の固定接着シート。
【請求項３】
前記接着剤に、消臭または香料成分を配合する
ことを特徴とする請求項１または２記載の入れ歯の固定接着シート。
【発明の詳細な説明】
【技術分野】
【０００１】
本発明は、入れ歯の固定接着シートに関する。詳しくは人の口腔内の上顎部に着脱自在に装着する入れ歯の固定接着シートに係るものである。
【背景技術】
【０００２】
口腔内に上顎部の自然歯の総てが無くなったり抜歯した人に装着する人口の上顎用総入れ歯は、図５に示すように、人口歯１０１を下方に並設して口腔内に盛り上っている歯茎部に覆せてセットする歯茎覆着部１０２と、その歯茎覆着部１０２の中間を塞いで口腔内の上顎部の内面に面接合させる上顎接合部１０３を一体に連設した硬質体形状からなり、上顎に着脱自在に装着セットして使用するようになっている。
【０００３】
このような上顎用総入れ歯では、上顎部への装着保持力を向上する手段として、図６に示すように、上顎接合部１０３に、高分子物質が使用される粘着剤１０４（以下、「入れ歯安定剤」と呼ぶ。）をチューブより押し出して塗布し、上顎へ密着接合させる対策が普及している（特許文献１参照。）。
【０００４】
【特許文献１】特開２０００−１２６２０５号公報（要約書）
【発明の開示】
【発明が解決しようとする課題】
【０００５】
しかしながら前記の入れ歯安定剤では、チューブより適当量絞り出した入れ歯安定剤を歯茎覆着部と上顎接合部に指でのばしながら覆着させるために、入れ歯安定剤が不均一、不適当な厚さになったり、隅々まで入れ歯安定剤が届かないことなどにより入れ歯と上顎との間に唾が入ることで外れやすくなるという問題があった。
【０００６】
また、入れ歯安定剤は毎日あるいは数日毎に歯茎覆着部と上顎接合部から拭き取って新しく再塗布しなければならないが、入れ歯安定剤を取り除くのに手間がかかることが多く、外出時に入れ歯が外れた場合には入れ歯安定剤を剥がして、再度覆着させるのに非常に手間がかかるという問題があった。
【０００７】
本発明は、以上の点に鑑みて創案されたものであって、任意の長さに切り取ることができ、かつ容易に入れ歯と上顎、あるいは下顎とに接着することができる入れ歯の固定接着シートを提供することを目的とするものである。
【課題を解決するための手段】
【０００８】
上記の目的を達成するために、本発明に係る入れ歯の固定接着シートは、上顎用総入れ歯、あるいは下顎用総入れ歯を上顎、あるいは下顎に固定するシートにおいて、紙、または布から形成される帯状のシート本体と、前記シート本体の両側面に積層される接着剤と、前記それぞれの接着剤に覆着される剥離紙を備える。
【０００９】
ここで、上顎用総入れ歯、あるいは下顎用総入れ歯の大きさ及び接合個所の状態に応じて固定接着シートをハサミまたは手などによって切断し、前記上顎用総入れ歯、あるいは下顎用総入れ歯の接合部に一方側の剥離紙を剥がして接着し、他方の剥離紙を剥がして歯茎に接着することにより容易に上顎用総入れ歯、あるいは下顎用総入れ歯を取り付けることができる。さらに、固定接着シートを取り替える場合には、固定接着シートの端部を引き剥がすことにより容易に固定接着シートを取り外すことができる。
【００１０】
また、前記接着剤に抗菌成分、あるいは消臭・香料成分を配合することにより、固定シートの接着による歯茎の炎症を抑えるとともに、入れ歯特有の口臭を防ぐことができるものである。
【発明の効果】
【００１１】
本発明の入れ歯の固定接着シートでは、入れ歯の大きさに応じて任意の長さに切り、シートの一側面の剥離紙を剥ぎ取り、上顎用総入れ歯、あるいは下顎用総入れ歯の上顎接合部、または下顎接合部に接着し、他側面の剥離紙を剥ぎ取り、上顎、あるいは下顎部面に接着することにより入れ歯を容易、かつ確実に取り付けることが可能となる。
【００１２】
また、外出時に例えば入れ歯が外れるというトラブルがあった場合でも固定接着シートの取替えが容易に行える。
【発明を実施するための最良の形態】
【００１３】
以下、本発明の実施の形態を図面を参酌しながら説明し、本発明の理解に供する。
図１に、本発明を適用した入れ歯の固定接着シートの一例を説明するための斜視図を示す。
【００１４】
ここで示す固定接着シート１は、紙、あるいは布などから形成されるシート本体２と、このシート本体２の上下面に粘着される剥離紙３とから構成されるものである。
【００１５】
前記シート本体２は、薄くて乾燥度の高い紙、あるいは布からなる繊維質の帯体であり、このシート本体２の上下面に人体に影響を及ぼさない接着剤４が塗布されるものである。この接着剤４は、入れ歯の人口歯茎部分と上顎部、あるいは下顎部に接着し、繊維質のシート本体２に唾液が染みることでよりシート本体２と一体的となって接着する構成とするものである。
【００１６】
また、前記接着剤４に、リゾチーム、ポリリジン、竹エキスなどの抗菌性物質１２や茶抽出物などの消臭成分１３、各種賦香成分などを配合することにより、口臭の発生原因となる菌の増殖を抑え、さらに各種賦香成分により他人に不快感を与えることがなく、会話を楽しむことができる。
【００１７】
また、前記剥離紙３は図２に示すように、基紙（上質紙）５上にラミネート６層が設けられ、このラミネート６上にシリコーン７が塗布することにより、このシリコーン成分の乖離性により剥離紙３のシリコーン７層による接着剤４の接着力よりシート本体２による接着力の方が強いために、シート本体２に接着剤４を残した状態で剥離紙３のみを容易に剥がし取ることができるものである。
【００１８】
また、前記接着剤４として、入れ歯安定剤として使用される疎水性のガム状合成高分子物質（例えば、市販の商標名タフグリップ）をシート本体２面に塗布し、剥離紙３によって覆着することで保湿性を保持する構成とすることも考えられる。
【００１９】
このような構成の固定シート１は図３（イ）、（ロ）にそれぞれ示すように、例えば図３（イ）で示すように３０ｃｍ程度の長さのものを巻回した状態とし、必要長さだけハサミや手によって切断する構成とする。あるいは図３（ロ）で示すように、予め一定の長さに切断された固定接着シート１が紙製などにより形成される収納袋８内に収納され、使用時にこの収納袋８内より固定接着シート１を取り出して使用する構成とする。
【００２０】
以上の構成よりなる本発明の固定接着シートでは、図４に示すように、上顎用総入れ歯９、あるいは下顎用総入れ歯１０の大きさ及び接合個所の状態により固定接着シート１の大きさを決めるために、ハサミまたは手などによって前記固定接着シート１を切断し、上顎用総入れ歯９の場合では固定接着シート１の下側面、下顎用総入れ歯１０の場合では固定接着シート１の剥離紙３を剥ぎ取り、上顎用総入れ歯９、あるいは下顎用総入れ歯１０の接合面に接着する。
【００２１】
次に、上顎用総入れ歯９の接合面に接着した固定接着シート１の上側の剥離紙３を剥ぎ取り、上顎の歯茎１１に当てて接着する。また、下顎用総入れ歯１０の接合面に接着した固定接着シート１の下側の剥離紙３を剥ぎ取り、下顎の歯茎１１に当てて接着する。
【００２２】
このようにして上顎用総入れ歯９、あるいは下顎用総入れ歯１０を装着した後は、唾液が紙、または布繊維のシート本体２に染み込みことにより接着剤と馴染み、より接着が強固となる。
【００２３】
また、固定接着シート１を取り替える場合には、上顎用総入れ歯９、あるいは下顎用総入れ歯１０に接着したシート本体２の端部を爪などによって剥がして、その端部を掴んだ状態で引き剥がすことによって容易に取り外すことが可能となる。
【００２４】
また、前記シート本体２はできるだけ薄くすることが望ましいものであり、すなわち薄くすることにより歯茎、あるいは上顎への密着性が良くなるとともに、入れ歯と歯茎との隙間が生じ難いことより唾液などの侵入を防止し、入れ歯が外れ難く、かつ入れ歯装着の違和感がなく使用することが可能となる。
【００２５】
なお、固定接着シート１は、入れ歯の歯茎部分のみの接着の外に、上顎用総入れ歯９の場合には、その歯茎および上顎接合部に接着固定し、歯茎および上顎面に接着固定することもできる。
【００２６】
さらに、接着剤にリゾチーム、ポリリジン、竹エキスなどの抗菌性物質を配合することにより歯茎の炎症を防ぎ、かつ茶抽出物などの消臭成分、各種賦香成分などを配合することにより口臭を防ぐことが可能となる。
【図面の簡単な説明】
【００２７】
【図１】本発明を適用した入れ歯の固定接着シートの一例を説明するための斜視図を示す。
【図２】本発明を適用した入れ歯の固定接着シートの剥離紙の要部拡大説明図である。
【図３】本発明を適用した入れ歯の固定接着シートの使用形態の一例を示す説明図である。
【図４】本発明を適用した入れ歯の固定接着シートの使用状態を示す説明図である。
【図５】一般的な上顎用総入れ歯の斜視図である。
【図６】上顎用総入れ歯に入れ歯安定剤を取り付けた状態を示す説明図である。
【符号の説明】
【００２８】
１      固定接着シート
２      シート本体
３      剥離紙
４      接着剤
５      基紙
６      ラミネート層
７      シリコーン層
８      収納袋
９      上顎用総入れ歯
１０    下顎用総入れ歯
１１    歯茎
【図１】
2006130339.tif 000003
【図２】
2006130339.tif 000004
【図３】
2006130339.tif 000005
【図４】
2006130339.tif 000006
【図５】
2006130339.tif 000007
【図６】
2006130339.tif 000008